(57)【要約】【課題】容器内へのダスト（塵埃）浸入、付着防止の機能、及び内容物流路を正確に方向付けするための補助治具としての機能とともに、注出口栓の開封性や再封性や利便性及び美粧性等の機能を併せ持つ液体容器用口栓を提供する。【解決手段】枠体１と、該枠体１の下端内周に突出して設けた一対の対向するヒンジ支持部４、４と、該各々ヒンジ支持部４、４にそれぞれヒンジ５を介して取り付けた回動支持部６、６と、該回動支持部６、６に支持されて開閉可能に前記枠体１上端以下の低位置に水平に設けた爪板７と、該爪板７と一体に開閉可能に回動支持部６、６を挟んで前記枠体１上端以下の低位置に水平に設けたアーム板８とからなり、前記枠体１の下面が容器２０の表面に前記爪板７を液体包装容器２０の開口部２１に設けた開封用の易切り破りシート２２に整合させて取り付けられている。【選択図】図１
2006008178.tif 000002
【特許請求の範囲】
【請求項１】
枠体１と、該枠体１の下端内周に突出して設けた一対の対向するヒンジ支持部４、４と、該各々ヒンジ支持部４、４にそれぞれヒンジ５を介して取り付けた回動支持部６、６と、該回動支持部６、６に支持されて開閉可能に前記枠体１上端以下の低位置に水平に設けた爪板７と、該爪板７と一体に開閉可能に回動支持部６、６を挟んで前記枠体１上端以下の低位置に水平に設けたアーム板８とからなり、前記枠体１の下面が容器２０の表面に前記爪板７を液体包装容器２０の開口部２１に設けた開封用の易切り破りシート２２に整合させて取り付けられていることを特徴とする液体包装容器用口栓。
【請求項２】
枠体１と、該枠体１の下端内周に沿って所定幅に張り出して設けた底デッキ部２と、該底デッキ部２の内周に突出して設けた一対の対向するヒンジ支持部４、４と、該各々ヒンジ支持部４、４にそれぞれヒンジ５を介して取り付けた回動支持部６、６と、該回動支持部６、６に支持されて開閉可能に前記枠体１上端以下の低位置に水平に設けた爪板７と、該爪板７と一体に開閉可能に回動支持部６、６を挟んで前記枠体１上端以下の低位置に水平に設けたアーム板８とからなり、前記枠体１と底デッキ部２の下面が容器２０の表面に前記爪板７を液体包装容器２０の開口部２１に設けた開封用の易切り破りシート２２に整合させて取り付けられていることを特徴とする液体包装容器用口栓。
【請求項３】
前記枠体１の上端部分辺にヒンジ９を介して開閉可能に該枠体１を施蓋する蓋板１０を設けたことを特徴とする請求項１又は２記載の液体包装容器用口栓。
【請求項４】
枠体１と、該枠体１の下端内周に突出して設けた一対の対向するヒンジ支持部４、４と、該各々ヒンジ支持部４、４にそれぞれヒンジ５を介して取り付けた回動支持部６、６と、該回動支持部６、６に支持されて開閉可能に前記枠体１上端以下の低位置に水平に設けた爪板７と、該爪板７と一体に開閉可能に回動支持部６、６を挟んで前記枠体１上端以下の低位置に水平に設けたアーム板８と、前記枠体１の上端部分辺にヒンジ９を介して開閉可能に設けた該枠体１を施蓋する蓋板１０と、該蓋板１０の中間に前記ヒンジ９に平行に該蓋板１０を二分するヒンジ１３と、該蓋板１０の前記ヒンジ９、１３間の裏面に前記アーム板８に設けた中間切欠部８ａ内に嵌入係合して該アーム板８と蓋板１０とを連結して該蓋板１０の開閉に追従して前記爪板７を開閉させる連結用突起部１１とからなり、前記枠体１の下面が容器２０の表面に前記爪板７を液体包装容器２０の開口部２１に設けた開封用の易切り破りシート２２に整合させて取り付けられていることを特徴とする液体包装容器用口栓。
【請求項５】
枠体１と、該枠体１の下端内周に沿って所定幅に張り出して設けた底デッキ部２と、該底デッキ部２の内周に突出して設けた一対の対向するヒンジ支持部４、４と、該各々ヒンジ支持部４、４にそれぞれヒンジ５を介して取り付けた回動支持部６、６と、該回動支持部６、６に支持されて開閉可能に前記枠体１上端以下の低位置に水平に設けた爪板７と、該爪板７と一体に開閉可能に回動支持部６、６を挟んで前記枠体１上端以下の低位置に水平に設けたアーム板８と、前記枠体１の上端部分辺にヒンジ９を介して開閉可能に設けた該枠体１を施蓋する蓋板１０と、該蓋板１０の中間に前記ヒンジ９に平行に該蓋板１０を二分するヒンジ１３と、該蓋板１０の前記ヒンジ９、１３間の裏面に前記アーム板８に設けた中間切欠部８ａ内に嵌入係合して該アーム板８と蓋板１０とを連結して該蓋板１０の開閉に追従して前記爪板７を開閉させる連結用突起部１１とからなり、前記枠体１の下面が容器２０の表面に前記爪板７を液体包装容器２０の開口部２１に設けた開封用の易切り破りシート２２に整合させて取り付けられていることを特徴とする液体包装容器用口栓。
【請求項６】
前記回動支持部６と爪板７との間にヒンジ７ａを設けたことを特徴とする請求項４又は５記載の液体包装容器用口栓。
【発明の詳細な説明】
【技術分野】
【０００１】
本発明は、牛乳、ジュース等の飲料や液状食品、あるいは液状非食品を充填包装する紙パック等の液体包装用紙容器をはじめとして、各種のプラスチック容器等の液体包装容器の注出口として取り付けるための液体包装容器用口栓に関する。
【背景技術】
【０００２】
主に牛乳、ジュース等の飲料をはじめとする液状食品等の液状内容物向けの液体紙容器（例えば、ＥＰ−ＰＡＫ、ＧＴ−ＰＡＫ）については、近年、液状内容物の充填機が高速度化しており、特に、液体包装用紙容器類の充填包装機として高速充填性のあるロールアセプ充填機等の充填機による容器への注出口栓（注出口部と該注出口部に螺着したキャップ部）の付け方にも、その口栓の外付け接着における接着剤であるホットメルトを用いた接着技術の上で、特に、口栓の取付けにおけるローコスト化に加え、口栓としての開け易さや再封性など高機能性や利便性、また、美粧性等を機能として持つことが必要となってきている。
【０００３】
また、一般的に容器に取付けるための注出口栓類としては、容器内へのダスト（塵埃）の浸入、付着を防止するための機能と構造を持っていること、及び口栓を取り付けた後の容器からの液状内容物の流路を正確に方向付けするための補助治具としての機能と構造を持っていることが必要である。
【０００４】
このように液体包装用容器の注出口栓類として、その開け易さや再封性など高機能性や利便性、美粧性等を機能として持ち、及び容器内へのダスト（塵埃）浸入、付着防止の機能性や内容物流路を正確に方向付けするための補助治具としての機能を達成することを目的とした注出口栓類に関する技術としては、例えば、特開平１０−５９３９９号公報がある。
【０００５】
以下に、公知の特許文献を記載する。
【特許文献１】特開平１０−５９３９９号公報
【発明の開示】
【発明が解決しようとする課題】
【０００６】
本発明は、液体包装用容器の注出口栓類であって、容器内へのダスト（塵埃）浸入、付着防止の機能、及び内容物流路を正確に方向付けするための補助治具としての機能とともに、注出口栓の開封性や再封性や利便性及び美粧性等の機能を併せ持つ液体容器用口栓を提供することにある。
【課題を解決するための手段】
【０００７】
本発明の請求項１に係る発明は、枠体１と、該枠体１の下端内周に突出して設けた一対の対向するヒンジ支持部４、４と、該各々ヒンジ支持部４、４にそれぞれヒンジ５を介して取り付けた回動支持部６、６と、該回動支持部６、６に支持されて開閉可能に前記枠体１上端以下の低位置に水平に設けた爪板７と、該爪板７と一体に開閉可能に回動支持部６、６を挟んで前記枠体１上端以下の低位置に水平に設けたアーム板８とからなり、前記枠体１の下面が容器２０の表面に前記爪板７を液体包装容器２０の開口部２１に設けた開封用の易切り破りシート２２に整合させて取り付けられていることを特徴とする液体包装容器用口栓である。
【０００８】
本発明の請求項２に係る発明は、枠体１と、該枠体１の下端内周に沿って所定幅に張り出して設けた底デッキ部２と、該底デッキ部２の内周に突出して設けた一対の対向するヒンジ支持部４、４と、該各々ヒンジ支持部４、４にそれぞれヒンジ５を介して取り付けた回動支持部６、６と、該回動支持部６、６に支持されて開閉可能に前記枠体１上端以下の低位置に水平に設けた爪板７と、該爪板７と一体に開閉可能に回動支持部６、６を挟んで前記枠体１上端以下の低位置に水平に設けたアーム板８とからなり、前記枠体１と底デッキ部２の下面が容器２０の表面に前記爪板７を液体包装容器２０の開口部２１に設けた開封用の易切り破りシート２２に整合させて取り付けられていることを特徴とする液体包装容器用口栓である。
【０００９】
本発明の請求項３に係る発明は、上記請求項１又は２に係る液体包装容器用口栓において、前記枠体１の上端部分辺にヒンジ９を介して開閉可能に該枠体１を施蓋する蓋板１０を設けたことを特徴とする液体包装容器用口栓である。
【００１０】
本発明の請求項４に係る発明は、枠体１と、該枠体１の下端内周に突出して設けた一対の対向するヒンジ支持部４、４と、該各々ヒンジ支持部４、４にそれぞれヒンジ５を介して取り付けた回動支持部６、６と、該回動支持部６、６に支持されて開閉可能に前記枠体１上端以下の低位置に水平に設けた爪板７と、該爪板７と一体に開閉可能に回動支持部６、６を挟んで前記枠体１上端以下の低位置に水平に設けたアーム板８と、前記枠体１の上端部分辺にヒンジ９を介して開閉可能に設けた該枠体１を施蓋する蓋板１０と、該蓋板１０の中間に前記ヒンジ９に平行に該蓋板１０を二分するヒンジ１３と、該蓋板１０の前記ヒンジ９、１３間の裏面に前記アーム板８に設けた中間切欠部８ａ内に嵌入係合して該アーム板８と蓋板１０とを連結して該蓋板１０の開閉に追従して前記爪板７を開閉させる連結用突起部１１とからなり、前記枠体１の下面が容器２０の表面に前記爪板７を液体包装容器２０の開口部２１に設けた開封用の易切り破りシート２２に整合させて取り付けられていることを特徴とする液体包装容器用口栓である。
【００１１】
本発明の請求項５に係る発明は、枠体１と、該枠体１の下端内周に沿って所定幅に張り出して設けた底デッキ部２と、該底デッキ部２の内周に突出して設けた一対の対向するヒンジ支持部４、４と、該各々ヒンジ支持部４、４にそれぞれヒンジ５を介して取り付けた回動支持部６、６と、該回動支持部６、６に支持されて開閉可能に前記枠体１上端以下の低位置に水平に設けた爪板７と、該爪板７と一体に開閉可能に回動支持部６、６を挟んで前記枠体１上端以下の低位置に水平に設けたアーム板８と、前記枠体１の上端部分辺にヒンジ９を介して開閉可能に設けた該枠体１を施蓋する蓋板１０と、該蓋板１０の中間に前記ヒンジ９に平行に該蓋板１０を二分するヒンジ１３と、該蓋板１０の前記ヒンジ９、１３間の裏面に前記アーム板８に設けた中間切欠部８ａ内に嵌入係合して該アーム板８と蓋板１０とを連結して該蓋板１０の開閉に追従して前記爪板７を開閉させる連結用突起部１１とからなり、前記枠体１の下面が容器２０の表面に前記爪板７を液体包装容器２０の開口部２１に設けた開封用の易切り破りシート２２に整合させて取り付けられていることを特徴とする液体包装容器用口栓である。
【００１２】
本発明の請求項６に係る発明は、上記請求項４又は５に係る液体包装容器用口栓において、前記回動支持部６と爪板７との間にヒンジ７ａを設けたことを特徴とする液体包装容器用口栓である。
【発明の効果】
【００１３】
本発明の請求項１に係る液体包装容器用口栓は、図１に示すように、枠体１と、該枠体１の下端内周に突出して設けた一対の対向するヒンジ支持部４、４と、該各々ヒンジ支持部４、４にそれぞれヒンジ５を介して取り付けた回動支持部６、６と、該回動支持部６、６に支持されて開閉可能に前記枠体１上端以下の低位置に水平に設けた爪板７と、該爪板
７と一体に開閉可能に回動支持部６、６を挟んで前記枠体１上端以下の低位置に水平に設けたアーム板８とからなる液体包装容器用口栓であり、図２に示すように、前記枠体１の下面が、容器２０の表面に前記爪板７を液体包装容器２０の開口部２１に設けた開封用の易切り破りシート２２に整合させて取り付けられているので、図４（ａ）〜（ｂ）に示すように、容器２０を開封する際は、アーム板８をヒンジ５を介して引き上げることにより、爪板７の刃先部７ａ側が容器２０の開封用の易切り破りシート２２に突入して、該シート２２を、刃先部７ａによって爪板７の形状に切り破り、容器２０を開封することができる。
【００１４】
また、本発明の請求項２に係る液体包装容器用口栓は、図１に示すように、枠体１と、該枠体１の下端内周に沿って所定幅に張り出して設けた底デッキ部２と、該底デッキ部２の内周に突出して設けた一対の対向するヒンジ支持部４、４と、該各々ヒンジ支持部４、４にそれぞれヒンジ５を介して取り付けた回動支持部６、６と、該回動支持部６、６に支持されて開閉可能に前記枠体１上端以下の低位置に水平に設けた爪板７と、該爪板７と一体に開閉可能に回動支持部６、６を挟んで前記枠体１上端以下の低位置に水平に設けたアーム板８とからなる液体包装容器用口栓であり、図２に示すように、前記枠体１の下面が、容器２０の表面に前記爪板７を液体包装容器２０の開口部２１に設けた開封用の易切り破りシート２２に整合させて取り付けられているので、図４（ａ）〜（ｂ）に示すように、容器２０を開封する際は、アーム板８をヒンジ５を介して引き上げることにより、爪板７の刃先部７ａ側が容器２０の開封用の易切り破りシート２２に突入して、該シート２２を、刃先部７ａによって爪板７の形状に切り破り、容器２０を開封することができる。
【００１５】
また、本発明の請求項３に係る液体包装容器用口栓は、図１に示すように、前記枠体１の上端部分辺に、ヒンジ９を介して開閉可能に該枠体１を施蓋する蓋板１０が設けられ、前記枠体１内の爪板７は、回動支持部６、６に支持されて開閉可能に枠体１上端以下の低位置に水平に設けられ、前記枠体１内のアーム板８は、開閉可能に前記回動支持部６、６を挟んで枠体１上端以下の低位置に水平に設けられているので、図２に示すように、平坦な蓋板１０によって枠体１をコンパクトに施蓋することができ、また、蓋板１０の施蓋によって、爪板７及びアーム板８を被覆し保護できるので、爪板７に対する押し付け力や、アーム板８に対する引き上げ力による不用意な開封を防止することができる。
【００１６】
本発明の請求項４に係る液体包装容器用口栓は、図５に示すように、枠体１と、該枠体１の下端内周に突出して設けた一対の対向するヒンジ支持部４、４と、該各々ヒンジ支持部４、４にそれぞれヒンジ５を介して取り付けた回動支持部６、６と、該回動支持部６、６に支持されて開閉可能に前記枠体１上端以下の低位置に水平に設けた爪板７と、該爪板７と一体に開閉可能に回動支持部６、６を挟んで前記枠体１上端以下の低位置に水平に設けたアーム板８と、前記枠体１の上端部分辺にヒンジ９を介して開閉可能に設けた該枠体１を施蓋する蓋板１０と、該蓋板１０の中間に前記ヒンジ９に平行に該蓋板１０を二分するヒンジ１３と、該蓋板１０の前記ヒンジ９、１３間の裏面に前記アーム板８に設けた中間切欠部８ａ内に嵌入係合して該アーム板８と蓋板１０とを連結して該蓋板１０の開閉に追従して前記爪板７を開閉させる連結用突起部１１とからなる液体包装容器用口栓であり、図６（ａ）〜（ｂ）に示すように、前記枠体１の下面が容器２０の表面に前記爪板７を液体包装容器２０の開口部２１に設けた開封用の易切り破りシート２２に整合させて取り付けられているので、容器２０を開封する際は、図８（ａ）〜（ｃ）に示すように、蓋板１０をヒンジ９を介して開放するとともに、その蓋板１０の裏面の連結部１１に連結して追従動作するアーム板８を引き上げることにより、爪板７の刃先部７ａ側が容器２０の開封用の易切り破りシート２２に突入して、該シート２２を爪板７の形状に切り破ることができる。
【００１７】
そして、図８（ｃ）に示すように、蓋板１０の先端側をヒンジ１３を介して上方に折り
曲げることにより、シート２２の切り破りにより開封した容器２０の開口部２１を露呈させて、液状内容物の取り出しを容易にすることができる。
【００１８】
本発明の請求項５に係る液体包装容器用口栓は、図５に示すように、枠体１と、該枠体１の下端内周に沿って所定幅に張り出して設けた底デッキ部２と、該底デッキ部２の内周に突出して設けた一対の対向するヒンジ支持部４、４と、該各々ヒンジ支持部４、４にそれぞれヒンジ５を介して取り付けた回動支持部６、６と、該回動支持部６、６に支持されて開閉可能に前記枠体１上端以下の低位置に水平に設けた爪板７と、該爪板７と一体に開閉可能に回動支持部６、６を挟んで前記枠体１上端以下の低位置に水平に設けたアーム板８と、前記枠体１の上端部分辺にヒンジ９を介して開閉可能に設けた該枠体１を施蓋する蓋板１０と、該蓋板１０の中間に前記ヒンジ９に平行に該蓋板１０を二分するヒンジ１３と、該蓋板１０の前記ヒンジ９、１３間の裏面に前記アーム板８に設けた中間切欠部８ａ内に嵌入係合して該アーム板８と蓋板１０とを連結して該蓋板１０の開閉に追従して前記爪板７を開閉させる連結用突起部１１とからなる液体包装容器用口栓であり、図６（ａ）〜（ｂ）に示すように、前記枠体１の下面が容器２０の表面に前記爪板７を液体包装容器２０の開口部２１に設けた開封用の易切り破りシート２２に整合させて取り付けられているので、容器２０を開封する際は、図８（ａ）〜（ｃ）に示すように、蓋板１０をヒンジ９を介して開放するとともに、その蓋板１０の裏面の連結部１１に連結して追従動作するアーム板８を引き上げることにより、爪板７の刃先部７ａ側が容器２０の開封用の易切り破りシート２２に突入して、該シート２２を爪板７の形状に切り破ることができる。
【００１９】
そして、図８（ｃ）に示すように、蓋板１０の先端側をヒンジ１３を介して上方に折り曲げることにより、シート２２の切り破りにより開封した容器２０の開口部２１を露呈させて、液状内容物の取り出しを容易にすることができる。
【発明を実施するための最良の形態】
【００２０】
本発明の請求項１に係る液体包装容器用口栓の実施の形態を以下に詳細に説明すれば、図１の全体斜視図、及び図２の側断面図に示すように、略四角形状の枠体１と、該枠体１の下端内周に突出して設けた一対の対向するヒンジ支持部４、４と、該各々ヒンジ支持部４、４にそれぞれヒンジ５を介して取り付けた回動支持部６、６とを備える。
【００２１】
また、前記枠体１には、図１に示すように、回動支持部６、６に支持されて開閉可能に前記枠体１上端以下の低位置に水平に爪板７が設けられ、該爪板７と一体に開閉可能に、前記回動支持部６、６を挟んで、前記枠体１上端以下の低位置に水平にアーム板８が設けられている。
【００２２】
上記液体包装容器用口栓は、図２の側断面図に示すように、前記枠体１の下面が、液体包装容器２０の表面に、前記爪板７を、該容器２０の開口部２１に設けた開封用の易切り破りシート２２に整合させて取り付けられているものである。
【００２３】
また、本発明の請求項２に係る液体包装容器用口栓の実施の形態を以下に詳細に説明すれば、図１の全体斜視図、及び図２の側断面図、及び図３の平面図に示すように、上記請求項１に係る発明における略四角形状の枠体１の下端内周に沿って、所定幅に張り出して底デッキ部２が設けられ、該底デッキ部２の内周に突出して一対の対向するヒンジ支持部４、４が設けられているものである。なお、前記底デッキ部２は、前述の請求項１に係る液体包装容器用口栓のように省略することは可能である。
【００２４】
そして、図２の側断面図、及び図３の平面図に示すように、前記底デッキ部２内周より内側の空間領域部３には、各々ヒンジ支持部４、４にそれぞれヒンジ５を介して取り付けた回動支持部６、６に支持されて開閉可能に、前記枠体１上端以下の低位置に水平に爪板
７が設けられ、該爪板７と一体に開閉可能に回動支持部６、６を挟んで、前記枠体１上端以下の低位置に水平にアーム板８が設けられている。
【００２５】
そして、図２の側断面図に示すように、前記枠体１と底デッキ部２の下面が、液体包装容器２０の表面に、前記爪板７を該容器２０の開口部２１に設けた開封用の易切り破りシート２２に整合させて取り付けられているものである。
【００２６】
本発明の請求項３に係る液体包装容器用口栓は、上記請求項１又は２に係る液体包装容器用口栓において、図１、図２、図３に示すように、前記枠体１の上端部分辺に、ヒンジ９を介して開閉可能に、該枠体１を施蓋する蓋板１０が設けられているものである。
【００２７】
上記請求項１又は請求項２に係る液体包装容器用口栓を取り付けた液体包装容器の開封方法を以下に説明すれば、図４（ａ）に示すように、アーム板８をヒンジ５を介して引き上げ回転させることにより、爪板７の刃先部７ａ側がヒンジ５を介して回転して、容器２０の開封用の易切り破りシート２２に突入し、該刃先部７ａによって、該シート２２を爪板７の形状に切り破り、容器２０を開封することができる。
【００２８】
図４（ｂ）に示すように、アーム板８をさらに回転させて、容器２０の開口部２１側に倒して、爪板７を反転させることにより、容器２０の開口部２１側に一部残っている易切り破りシート２２を容器２０内に折り入れて、液状内容物を取り出し易くすることができる。
【００２９】
次に、本発明の請求項４に係る液体包装容器用口栓の実施の形態を以下に詳細に説明すれば、図５の全体斜視図、及び図６（ａ）の側断面図、図６（ｂ）の正面断面図、図７の平面図に示すように、略四角形状の枠体１と、該枠体１の下端内周に突出して設けた一対の対向するヒンジ支持部４、４と、該各々ヒンジ支持部４、４にそれぞれヒンジ５を介して取り付けた回動支持部６、６とを備える。
【００３０】
また、枠体１には、図５及び図６（ａ）及び図７に示すように、前記回動支持部６、６に支持されて開閉可能に、前記枠体１上端以下の低位置に水平に設けた爪板７と、該爪板７と一体に開閉可能に回動支持部６、６を挟んで前記枠体１上端以下の低位置に水平に設けたアーム板８とを備えている。
【００３１】
また、前記枠体１の上端部分辺には、図５、図６（ａ）〜（ｂ）に示すように、ヒンジ９を介して開閉可能に設けた該枠体１を施蓋する蓋板１０と、該蓋板１０の中間に前記ヒンジ９に平行に該蓋板１０を二分するヒンジ１３と、該蓋板１０の前記ヒンジ９、１３間の裏面に前記アーム板８に設けた中間切欠部８ａ内に嵌入係合して該アーム板８と蓋板１０とを連結して該蓋板１０の開閉に追従して前記爪板７を開閉させる連結用突起部１１とを備えている。
【００３２】
上記液体包装容器用口栓は、図６（ａ）〜（ｂ）の側断面図に示すように、前記枠体１の下面が、液体包装容器２０の表面に、前記爪板７を該容器２０の開口部２１に設けた開封用の易切り破りシート２２に整合させて取り付けられているものである。
【００３３】
また、本発明の請求項５に係る液体包装容器用口栓の実施の形態を以下に詳細に説明すれば、図５の全体斜視図、及び図６（ａ）の側断面図、図６（ｂ）の正面断面図、図７の平面図に示すように、上記請求項４に係る発明における略四角形状の枠体１の下端内周に沿って、所定幅に張り出して底デッキ部２が設けられ、該底デッキ部２の内周に突出して一対の対向するヒンジ支持部４、４が設けられているものである。なお、前記底デッキ部２は、前述の請求項４に係る液体包装容器用口栓のように省略することは可能である。
【００３４】
そして、図６（ａ）の側断面図、及び図７の平面図に示すように、各々ヒンジ支持部４、４にそれぞれヒンジ５を介して取り付けた回動支持部６、６に支持されて開閉可能に、前記枠体１上端以下の低位置に水平に爪板７が設けられ、該爪板７と一体に開閉可能に回動支持部６、６を挟んで、前記枠体１上端以下の低位置に水平にアーム板８が設けられている。
【００３５】
そして、図６（ａ）〜（ｂ）の側断面図に示すように、前記枠体１と底デッキ部２の下面が、液体包装容器２０の表面に、前記爪板７を該容器２０の開口部２１に設けた開封用の易切り破りシート２２に整合させて取り付けられているものである。
【００３６】
上記請求項４又は請求項５に係る液体包装容器用口栓を取り付けた液体包装容器の開封方法を以下に説明すれば、図８（ａ）に示すように、蓋板１０をヒンジ９を介して開放するとともに、その蓋板１０の裏面の連結部１１に連結して追従動作するアーム板８を引き上げることにより、図８（ｂ）に示すように、爪板７の刃先部７ａ側が容器２０の開封用の易切り破りシート２２に突入して、該シート２２を爪板７の形状に切り破る。
【００３７】
そして、図８（ｃ）に示すように、蓋板１０の先端側をヒンジ１３を介して上方に折り曲げることにより、シート２２の切り破りにより開封した容器２０の開口部２１を露呈させて、液状内容物の取り出しを容易にする。
【００３８】
また、本発明の請求項６に係る液体包装容器用口栓の実施の形態を、図９（ａ）〜（ｄ）に基づいて以下に詳細に説明すれば、図５、図６（ａ）〜（ｂ）に示した上記請求項４又は請求項５に係る液体包装容器用口栓において、図９（ａ）に示すように、各々ヒンジ支持部４、４にそれぞれヒンジ５を介して取り付けた回動支持部６と爪板７との間に、ヒンジ７ａを設けたものである。
【００３９】
上記請求項６に係る液体包装容器用口栓を取り付けた液体包装容器の開封方法を以下に説明すれば、図９（ｂ）に示すように、蓋板１０をヒンジ９を介して開放するとともに、その蓋板１０の裏面の連結部１１に連結して追従動作するアーム板８を引き上げることにより、図９（ｃ）に示すように、爪板７の刃先部７ａ側が容器２０の開封用の易切り破りシート２２に突入して、該シート２２を爪板７の形状に切り破る。
【００４０】
そして、図８（ｃ）に示すように、蓋板１０の先端側をヒンジ１３を介して上方に折り曲げることにより、シート２２の切り破りにより開封した容器２０の開口部２１を露呈させて、液状内容物の取り出しを容易にする。
【００４１】
続いて、図８（ｄ）に示すように、爪板７の刃先部７ａ側が容器２０の開封用の易切り破りシート２２側に突入して容器２０の開口部２１内にある爪板７を上から押さえながら停止させ、蓋板１０のヒンジ９側をヒンジ９を介して閉鎖しながら、該蓋板１０の連結部１１に連結して追従動作するアーム板８を回動支持部６と爪板７との間のヒンジ７ａを介して元の水平状態に戻すものである。
【図面の簡単な説明】
【００４２】
【図１】本発明の液体包装容器用口栓の一実施例の全体斜視図。
【図２】本発明の液体包装容器用口栓の側断面図。
【図３】本発明の液体包装容器用口栓の平面図。
【図４】（ａ）〜（ｂ）は本発明の液体包装容器用口栓による開封動作を説明する側断面図。
【図５】本発明の液体包装容器用口栓の他の実施例の全体斜視図。
【図６】（ａ）は本発明の液体包装容器用口栓の他の実施例の側断面図、（ｂ）はその正面断面図。
【図７】本発明の液体包装容器用口栓の他の実施例の平面図。
【図８】（ａ）〜（ｃ）は本発明の液体包装容器用口栓の他の実施例による開封動作を説明する側断面図。
【図９】（ａ）は本発明の液体包装容器用口栓のその他の実施例の側断面図、（ｂ）〜（ｃ）はその開封動作を説明する側断面図。
【符号の説明】
【００４３】
１…枠体
２…底デッキ部
３…空間領域部
４…支持部
５…ヒンジ
６…回動支持部
７…爪板
８…アーム板
９…ヒンジ
１０…蓋板
１１…連結部
１２…係合部
１３…ヒンジ
２０…容器
２１…開口部
２２…易切り破りシート
【図１】
2006008178.tif 000003
【図２】
2006008178.tif 000004
【図３】
2006008178.tif 000005
【図４】
2006008178.tif 000006
【図５】
2006008178.tif 000007
【図６】
2006008178.tif 000008
【図７】
2006008178.tif 000009
【図８】
2006008178.tif 000010
【図９】
2006008178.tif 000011